(57)【要約】【課題】簡単なシステム構成で、ユーザが見た車内の広告などに関する情報を、ユーザが所持した携帯通信端末に配信できるようにする。【解決手段】識別情報を含むビーコン信号を発信するビーコン装置１と、ネットワーク上のコンテンツの位置を示すアドレス情報およびコンテンツを選択するためのコンテンツ情報を識別情報と対応付けて管理する管理サーバ７と、コンテンツを取得する携帯通信端末３とからシステムが構成される。携帯通信端末３は、現在受信しているビーコン信号に含まれる識別情報に対応する複数のコンテンツ情報を管理サーバ７から取得して、アドレス情報にそれぞれリンクさせて出力部（表示部）３４に一覧表示させる。携帯通信端末３は、一覧表示された複数のコンテンツ情報に基づくコンテンツの選択を受け付け、複数のコンテンツ情報にそれぞれリンクされたアドレス情報に基づいて、選択されたコンテンツを取得する。【選択図】図１
2016218925.tif 000002
【特許請求の範囲】
【請求項１】
識別情報を含むビーコン信号を発信するビーコン装置と、
ネットワーク上のコンテンツの位置を示すアドレス情報および前記コンテンツを選択するためのコンテンツ情報を前記識別情報と対応付けて管理する管理サーバと、
前記コンテンツを取得する携帯通信端末と、を備えるコンテンツ取得システムであって、
前記携帯通信端末は、
前記ビーコン信号を受信して前記識別情報を取得する受信部と、
前記識別情報を前記管理サーバに送信して、前記識別情報に対応する前記アドレス情報および前記コンテンツ情報を取得するサーバ通信部と、
前記コンテンツ情報を表示する表示部と、
前記表示部に表示された前記コンテンツ情報に基づく前記コンテンツの選択を受け付ける入力部と、を有し、
前記表示部は、前記受信部が現在受信している前記ビーコン信号に含まれる前記識別情報に対応する前記コンテンツ情報が複数ある場合に、当該複数のコンテンツ情報を前記アドレス情報にそれぞれリンクさせて一覧表示し、
前記サーバ通信部は、前記複数のコンテンツ情報にそれぞれリンクされた前記アドレス情報に基づいて、前記入力部により選択された前記コンテンツを取得する
コンテンツ取得システム。
【請求項２】
前記管理サーバは、前記携帯通信端末から受信した前記識別情報を、前記携帯通信端末による前記ビーコン信号の受信履歴として管理し、
前記サーバ通信部は、前記受信履歴に含まれる前記識別情報に対応する前記アドレス情報および前記コンテンツ情報を取得し、
前記表示部は、前記受信履歴に含まれる前記識別情報に対応する前記コンテンツ情報が複数ある場合に、当該複数のコンテンツ情報を前記アドレス情報にそれぞれリンクさせて一覧表示する
請求項１に記載のコンテンツ取得システム。
【請求項３】
前記携帯通信端末は、前記受信部が受信した前記識別情報を前記ビーコン信号の受信履歴として記憶する記憶部をさらに有し、
前記表示部は、前記受信履歴に含まれる前記識別情報に対応する前記コンテンツ情報が複数ある場合に、当該複数のコンテンツ情報を前記アドレス情報にそれぞれリンクさせて一覧表示する
請求項１に記載のコンテンツ取得システム。
【請求項４】
前記ビーコン装置は、広告媒体に取り付けられ、
前記コンテンツは、前記広告媒体による広告対象の情報を提供するウェブページであり、
前記アドレス情報は、前記ウェブページのＵＲＩ（Uniform Resource Identifier）またはＵＲＬ（Uniform Resource Locator）である
請求項１から３の何れかに記載のコンテンツ取得システム。
【請求項５】
前記コンテンツ情報は、前記広告対象の名称および前記広告媒体の画像の少なくとも一方を含む
請求項４に記載のコンテンツ取得システム。
【請求項６】
前記ビーコン装置は、表示装置に取り付けられ、前記表示装置の表示内容に応じて異なる前記識別情報を含む前記ビーコン信号を発信する
請求項１から３の何れかに記載のコンテンツ取得システム。
【請求項７】
ネットワーク上のコンテンツの位置を示すアドレス情報および前記コンテンツを選択するためのコンテンツ情報を、ビーコン装置が発信するビーコン信号に含まれる識別情報と対応付けて記憶する記憶部と、
前記ビーコン信号を受信して前記識別情報を取得する受信部と、
コンテンツサーバから前記コンテンツを取得するサーバ通信部と、
前記コンテンツ情報を表示する表示部と、
前記表示部に表示された前記コンテンツ情報に基づく前記コンテンツの選択を受け付ける入力部と、を有し、
前記表示部は、前記受信部が現在受信している前記ビーコン信号に含まれる前記識別情報に対応する前記コンテンツ情報が複数ある場合に、当該複数のコンテンツ情報を前記アドレス情報にそれぞれリンクさせて一覧表示し、
前記サーバ通信部は、前記複数のコンテンツ情報にそれぞれリンクされた前記アドレス情報に基づいて前記コンテンツサーバにアクセスして、前記入力部により選択された前記コンテンツを取得する
携帯通信端末。
【請求項８】
識別情報を含むビーコン信号を発信するビーコン装置と、
ネットワーク上のコンテンツの位置を示すアドレス情報および前記コンテンツを選択するためのコンテンツ情報を前記識別情報と対応付けて管理する管理サーバと、
前記コンテンツを取得する携帯通信端末と、を備えるコンテンツ取得システムにおいて、前記コンテンツを取得するコンテンツ取得方法であって、
前記ビーコン装置が、前記ビーコン信号を発信するステップと、
前記携帯通信端末が、前記ビーコン信号を受信して前記識別情報を取得するステップと、
前記携帯通信端末が、前記識別情報を前記管理サーバに送信するステップと、
前記管理サーバが、前記識別情報に対応する前記アドレス情報および前記コンテンツ情報を前記携帯通信端末に送信するステップと、
前記携帯通信端末が、現在受信している前記ビーコン信号に含まれる前記識別情報に対応する前記コンテンツ情報が複数ある場合に、当該複数のコンテンツ情報を前記アドレス情報にそれぞれリンクさせて一覧表示するステップと、
前記携帯通信端末が、一覧表示された前記複数のコンテンツ情報に基づく前記コンテンツの選択を受け付けるステップと、
前記携帯通信端末が、前記複数のコンテンツ情報にそれぞれリンクされた前記アドレス情報に基づいて、選択された前記コンテンツを取得するステップと、を含む
コンテンツ取得方法。
【発明の詳細な説明】
【技術分野】
【０００１】
本発明は、例えば、ビーコン装置から発信されるビーコン信号を受信することでコンテンツを取得するコンテンツ取得システム、およびビーコン信号を受信する携帯通信端末、並びにコンテンツ取得システムに適用されるコンテンツ取得方法に関する。
【背景技術】
【０００２】
従来、鉄道車両やバスなどの公共交通機関の車内には、天井から吊された、いわゆる中吊り広告と称される広告物が多数配置されている。また、広告は、壁面などに配置される場合もある。
これらの車内の広告は、通常、紙に印刷されたものであり、広告ごとに設定された掲示期間が経過するごとに、別の広告に取替えられる。
【０００３】
例えば、１両の鉄道車両内には、多数（数十枚程度）の中吊り広告が配置され、乗客は、乗車位置の近傍の中吊り広告を見ることができる。中吊り広告は、通常、商品を宣伝する文字や写真などで構成される。例えば雑誌の広告の場合には、雑誌に掲載された記事の見出し文が多数配置されている。
【０００４】
特許文献１には、車内の中吊り広告にＲＦ−ＩＤタグと称される無線通信装置を貼り付け、無線通信装置が、中吊り広告に表示された内容と同一の情報をユーザ端末（携帯電話などの携帯通信端末）に配信する技術が提案されている。
特許文献２には、ユーザが所持する端末で、ユーザが街中を移動した際の移動履歴を収集して、情報連携サーバに移動履歴を送り、情報連携サーバに蓄積された、移動した位置にある広告情報を、携帯通信端末に配信する技術が提案されている。ここで、情報連携サーバは、街中のそれぞれの位置に掲示された広告の情報を蓄積するものである。
【先行技術文献】
【特許文献】
【０００５】
【特許文献１】特開２００２−１６２９１８号公報
【特許文献２】特開２０１２−１９８７９７号公報
【発明の概要】
【発明が解決しようとする課題】
【０００６】
当然のことであるが、公共交通機関の車内の中吊り広告は、乗客が車両から降りた後には見ることができない。
ここで、例えば特許文献１に記載の技術を適用して、中吊り広告に広告画像を配信する無線通信装置（ＲＦ−ＩＤタグ）を貼り付けることで、広告画像の配信を受けたユーザ端末は、車両から降りた後も、広告画像を表示できるようになる。
【０００７】
しかしながら、特許文献１に記載の技術では、広告に貼り付けられる無線通信装置（ＲＦ−ＩＤタグ）は、広告画像を記憶する必要があるため、比較的大容量の記憶部が必要となる。その結果、無線通信装置の構成が複雑で大規模なものになるという問題がある。また、特許文献１に記載の技術では、個々の無線通信装置に広告画像を記憶させる作業が必要であり、事前の準備に手間がかかるという問題もあった。
さらに、ＲＦ−ＩＤタグのような無線通信装置は、無線通信可能な距離が非常に短く、ユーザ自身が、ユーザ端末をＲＦ−ＩＤタグが貼り付けられた広告に近づけない限り、広告画像の配信を受けることができない。混雑した車内では、ユーザ端末を広告に近づけることが困難なケースがあり、ユーザは目的とする広告画像を取得できない可能性がある。
【０００８】
一方、特許文献２に記載されるように、ユーザ端末が移動履歴を収集して、その移動履歴に基づいて、街中の広告の情報をサーバが配信すると、ユーザ端末は、ユーザの行動履歴に基づいた広告を表示できるようになる。この特許文献２に記載の技術の場合には、ユーザ端末がＧＰＳ（Global Positioning System）のような測位システムを利用して、移動履歴を収集するようにしている。したがって、特許文献２に記載の技術は、屋外に設置された看板などの広告画像をユーザ端末に配信するような用途には適しているが、１両の車内に多数の広告があるような用途では、ユーザが見た広告と端末に配信される広告画像とを完全に一致させることは、現状では事実上不可能である。仮に、ＧＰＳとは別の精度の高い測位システムを採用して、ユーザが車内を歩き回った際の正確な履歴が判ったとしても、ユーザが見た広告と、サーバが記憶した広告とが完全に一致している保証はない。例えば車内の広告が別のものに交換される時間帯にユーザが乗車したとき、ユーザが見た広告が、交換前の広告か、あるは交換後の広告であるのかサーバでは判らず、ユーザが見た広告とは異なる広告の情報がユーザ端末に配信されてしまう可能性がある。
【０００９】
本発明のコンテンツ取得システム、携帯通信端末およびコンテンツ取得方法は、簡単なシステム構成で、ユーザが見た車内の広告などに関する情報を、ユーザが所持した携帯通信端末に配信できるようにすることを目的とする。
【課題を解決するための手段】
【００１０】
本発明のコンテンツ取得システムは、識別情報を含むビーコン信号を発信するビーコン装置と、ネットワーク上のコンテンツの位置を示すアドレス情報およびコンテンツを選択するためのコンテンツ情報を識別情報と対応付けて管理する管理サーバと、コンテンツを取得する携帯通信端末と、を備えるコンテンツ取得システムである。
携帯通信端末は、ビーコン信号を受信して識別情報を取得する受信部と、識別情報を管理サーバに送信して、識別情報に対応するアドレス情報およびコンテンツ情報を取得するサーバ通信部と、コンテンツ情報を表示する表示部と、表示部に表示されたコンテンツ情報に基づくコンテンツの選択を受け付ける入力部と、を有する。
そして、携帯通信端末の表示部は、受信部が現在受信しているビーコン信号に含まれる識別情報に対応するコンテンツ情報が複数ある場合に、当該複数のコンテンツ情報をアドレス情報にそれぞれリンクさせて一覧表示する。サーバ通信部は、複数のコンテンツ情報にそれぞれリンクされたアドレス情報に基づいて、入力部により選択されたコンテンツを取得する。
【００１１】
また本発明の携帯通信端末は、ネットワーク上のコンテンツの位置を示すアドレス情報およびコンテンツを選択するためのコンテンツ情報を、ビーコン装置が発信するビーコン信号に含まれる識別情報と対応付けて記憶する記憶部と、ビーコン信号を受信して識別情報を取得する受信部と、コンテンツサーバからコンテンツを取得するサーバ通信部と、コンテンツ情報を表示する表示部と、表示部に表示されたコンテンツ情報に基づくコンテンツの選択を受け付ける入力部と、を有する。
そして、表示部は、受信部が現在受信しているビーコン信号に含まれる識別情報に対応するコンテンツ情報が複数ある場合に、当該複数のコンテンツ情報をアドレス情報にそれぞれリンクさせて一覧表示する。そして、サーバ通信部は、複数のコンテンツ情報にそれぞれリンクされたアドレス情報に基づいてコンテンツサーバにアクセスして、入力部により選択されたコンテンツを取得する。
【００１２】
また本発明のコンテンツ取得方法は、識別情報を含むビーコン信号を発信するビーコン装置と、ネットワーク上のコンテンツの位置を示すアドレス情報およびコンテンツを選択するためのコンテンツ情報を識別情報と対応付けて管理する管理サーバと、コンテンツを取得する携帯通信端末と、を備えるコンテンツ取得システムにおいて、コンテンツを取得するコンテンツ取得方法であり、以下の各ステップを含む。
・ビーコン装置が、ビーコン信号を発信するステップ。
・携帯通信端末が、ビーコン信号を受信して識別情報を取得するステップ。
・携帯通信端末が、識別情報を管理サーバに送信するステップ。
・管理サーバが、識別情報に対応するアドレス情報およびコンテンツ情報を携帯通信端末に送信するステップ。
・携帯通信端末が、現在受信しているビーコン信号に含まれる識別情報に対応するコンテンツ情報が複数ある場合に、当該複数のコンテンツ情報をアドレス情報にそれぞれリンクさせて一覧表示するステップ。
・携帯通信端末が、一覧表示された複数のコンテンツ情報に基づくコンテンツの選択を受け付けるステップ。
・携帯通信端末が、複数のコンテンツ情報にそれぞれリンクされたアドレス情報に基づいて、選択されたコンテンツを取得するステップ。
【発明の効果】
【００１３】
本発明によれば、携帯通信端末でのビーコン信号の受信に連動して、携帯通信端末がそのビーコン信号の識別情報に割り当てられた広告などのコンテンツを表示できるようになる。したがって、例えば公共交通機関の車内の広告にビーコン装置を取り付けることで、広告に対応したコンテンツを携帯通信端末に簡単かつ確実に配信できようになる。
【図面の簡単な説明】
【００１４】
【図１】本発明の第１の実施の形態例によるシステム構成例を示す全体図である。
【図２】本発明の第１の実施の形態例による車内の広告配置例を示す平面図である。
【図３】図２に示す車内の広告配置例の断面図である。
【図４】本発明の第１の実施の形態例によるビーコン装置の配置例を示す説明図である。
【図５】本発明の第１の実施の形態例によるビーコン信号の例を示す説明図である。
【図６】本発明の第１の実施の形態例によるコンテンツデータベースの例（例１）を示す説明図である。
【図７】本発明の第１の実施の形態例によるコンテンツデータベースの例（例２）を示す説明図である。
【図８】本発明の第１の実施の形態例によるコンテンツデータベースの例（例３）を示す説明図である。
【図９】本発明の第１の実施の形態例によるコンテンツデータベースの例（例４）を示す説明図である。
【図１０】本発明の第１の実施の形態例による受信履歴データベースの例を示す説明図である。
【図１１】本発明の第１の実施の形態例による処理の例を示すシーケンス図である。
【図１２】本発明の第１の実施の形態例による表示画面の例（乗車中のサムネイル画像の例）を示す説明図である。
【図１３】本発明の第１の実施の形態例による表示画面の例（コンテンツ画像の例）を示す説明図である。
【図１４】本発明の第１の実施の形態例による表示画面の例（降車後のサムネイル画像の例）を示す説明図である。
【図１５】本発明の第２の実施の形態例による処理の例を示すシーケンス図である。
【図１６】本発明の第３の実施の形態例による処理の例を示すシーケンス図である。
【発明を実施するための形態】
【００１５】
＜１．第１の実施の形態例＞
以下、図１〜図１４を参照して、本発明の第１の実施の形態例のコンテンツ取得システムを説明する。
［１−１．システム全体の構成例］
図１は、第１の実施の形態例のコンテンツ取得システムの全体構成例を示す図である。
図１に示すコンテンツ取得システムでは、鉄道車両内の広告にビーコン装置１を設置する。ビーコン装置１の具体的な設置例については図２〜図４を用いて後述する。
ビーコン装置１は、記憶部１１と送信部１２とを備える。記憶部１１には、１台ごとのビーコン装置１に付与されたビーコン識別情報ＩＤｂが記憶されている。
【００１６】
送信部１２は、例えば２．４ＧＨｚ帯の周波数帯域を使用して、Bluetooth（登録商標）の４．０規格で用意されたＬＥ（Low Energy）モードで、ビーコン信号を送信（発信）する。このビーコン信号は、ビーコン装置１の存在を周囲に通知する信号であり、このビーコン信号には、記憶部１１に記憶されたビーコン識別情報ＩＤｂが含まれる。このビーコン信号は、一定周期（例えば数百ｍ秒から数秒ごと）で繰り返し送信される信号である。
送信部１２がビーコン信号を送信する際には、例えばビーコン装置１から最大で数ｍ程度の範囲内にある携帯通信端末３が受信できる程度の強度で送信する。ビーコン信号の到達距離を数ｍ程度とするのは一例であり、送信部１２は、それとは異なる強度でビーコン信号を送信してもよい。
なお、ビーコン装置１は、内蔵された電池を電源として作動する。
【００１７】
ビーコン装置１から送信されるビーコン信号を受信する携帯通信端末３は、ユーザが所持する端末であり、例えばスマートフォンと称される無線電話端末が適用される。
携帯通信端末３は、データの送受信動作や表示動作などを実行する処理部３１と、アプリケーションプログラムや受信データなどを記憶する記憶部３２と、ユーザ操作を受け付ける入力部３３と、処理部３１での処理結果を出力する出力部３４とを備える。ここで、出力部３４の代表的な例は表示部である。表示部以外の出力部３４としては、例えば別の携帯端末（スマートウォッチなど）に情報を伝送する無線伝送部や、表示以外の形態でユーザに通知処理を行う通知部などがある。以下の説明では、出力部３４の代わりに表示部３４として説明する。
なお、記憶部３２には、本コンテンツ取得システム用のアプリケーションプログラムが記憶される。このアプリケーションプログラムを処理部３１が実行することにより、ビーコン信号の受信に基づいた各サーバへのアクセスや表示などの処理が行われる。さらに、記憶部３２には、アプリケーション識別情報ＩＤａが記憶される。アプリケーション識別情報ＩＤａは、個々の携帯通信端末３にインストールされたこのアプリケーションプログラムごとに付与される。
【００１８】
また、携帯通信端末３は、ビーコン装置１から送信されるビーコン信号を受信する受信部３５と、サーバ側と通信を行うサーバ通信部３６とを備える。
受信部３５は、Bluetooth方式の信号を受信するものであり、ＬＥモードで伝送されるビーコン信号を受信可能な状態で待ち受ける。
サーバ通信部３６は、アクセスポイント５を経由してネットワーク６に接続され、ネットワーク６に接続された管理サーバ７やコンテンツサーバ８などと通信を行う。このサーバ通信部３６は、例えば無線ＬＡＮ（Local Area Network）用のアクセスポイント５と無線通信を行う通信部や、携帯通信端末３が無線電話システム用の基地局と無線通信を行う通信部など、端末に内蔵された各種通信部が適用可能である。なお、サーバ通信部３６は、ネットワーク６を経由してインターネット上の他のサーバにアクセスすることも可能である。
なお、携帯通信端末３の各部は、バスライン３０を介して接続される。
【００１９】
管理サーバ７は、コンテンツ取得システムのために用意されたサーバであり、コンテンツデータベース７１と受信履歴データベース７２とを備える。コンテンツデータベース７１には、アドレス情報およびコンテンツ情報がビーコン識別情報ＩＤｂに対応付けて記憶される。受信履歴データベース７２には、携帯通信端末３ごとのビーコン信号（ビーコン識別情報ＩＤｂ）の受信時刻の情報が記憶される。コンテンツデータベース７１と受信履歴データベース７２の記憶情報の具体的な例については後述する。
コンテンツサーバ８は、広告主が運用（利用）するサーバであり、広告主が提供する商品やサービスについての詳細情報を携帯通信端末３に配信する。なお、このコンテンツサーバ８としては、インターネット上に用意された既存のサーバが利用される。
【００２０】
［１−２．ビーコン装置の配置例］
図２〜図４は、車両１００内に、ビーコン装置１を設置した状態の例を示す図である。
図２は、車両１００の内部を、天井側から床側を見た状態で示す。図３は、車両１００の内部を断面で示す。この例の車両１００には、両側の側面に、それぞれ３箇所ずつドア１１１が配置され、各ドア１１１の間と、ドア１１１と車端との間に、座席１１２が設置されている。
そして、車両１００内には、ほぼ等間隔で複数箇所（この例では５箇所）に広告１０１が吊り下げられている。広告１０１は、紙やフィルムに印刷されたポスター状のものであり、図３に示すように、吊り下げ金具１１３で天井から吊り下げられた、いわゆる中吊り広告である。
【００２１】
図４は、吊り下げ金具１１３により広告１０１が取り付けられる状態の例を、広告１０１の側面から見た図である。
図４に示すように、１箇所の吊り下げ金具１１３には、裏面が向き合うように２枚の広告１０１が吊り下げられ、その２枚の広告１０１の裏面の間に、ビーコン装置１が貼り付けられる。
なお、図４では２枚の広告１０１の間に１個のビーコン装置１を配置した例を示すが、１枚の広告１０１に、１個のビーコン装置１を貼り付けるようにしてもよい。あるいは、複数枚（例えば４枚や８枚）の広告１０１ごとに、１個のビーコン装置１を配置するようにしてもよい。
【００２２】
また、図２〜図４では、天井から吊り下げられた広告１０１にビーコン装置１を配置した例を示すが、車両１００内のその他の箇所に配置された広告にも、ビーコン装置１を配置してもよい。例えば、広告は、ドア１１１の横、ドア１１１の上、座席１１２の上部（窓や網棚の上）、端面などにも設置されるので、それぞれの箇所の広告にビーコン装置１を貼り付けるようにしてもよい。あるいは、窓やドアに貼り付けられるステッカーとしての広告に、ビーコン装置１を配置してもよい。
【００２３】
［１−３．ビーコン信号の例］
図５は、ビーコン装置１が送信するビーコン信号の例を示す。
ビーコン信号は、所定のビット数（例えば数十ビットから百数十ビット）で構成され、そのビーコン信号の一部の区間（または全ての区間）に、それぞれのビーコン装置１に割り当てられたビーコン識別情報ＩＤｂが配置される。ビーコン識別情報ＩＤｂは、このコンテンツ取得システムに用いられる全てのビーコン装置１で同じデータとなる共通データ区間と、それぞれのビーコン装置１ごとに割り当てられるデータとしての個別データ区間とを備える。
【００２４】
［１−４．コンテンツデータベースの例］
次に、管理サーバ７のコンテンツデータベース７１に記憶されるデータの例を、図６〜図９を参照して説明する。
図６は、コンテンツデータベース７１に記憶されるデータの例（例１）を示す。
コンテンツデータベース７１には、それぞれのビーコン装置１に付与したビーコン識別情報ＩＤｂに割り当てられたアドレス情報およびコンテンツ情報が記憶される。すなわち、コンテンツデータベース７１では、ビーコン識別情報ＩＤｂの個別データごとに、アドレス情報と、コンテンツ情報とが記憶される。
【００２５】
アドレス情報は、ネットワーク上のコンテンツの位置を示す情報である。この例では、アドレス情報は、ビーコン識別情報ＩＤｂを持つビーコン装置１が貼り付けられた広告１０１に関する情報が得られるインターネット上のウェブページのＵＲＩ（Uniform Resource Identifier）またはＵＲＬ（Uniform Resource Locator）である。
コンテンツ情報は、コンテンツを選択するための情報である。この例では、コンテンツ情報は、タイトルの項目と、サムネイル画像の項目を有する。タイトルの項目には、広告１０１のタイトルを示す文字情報が記憶される。例えば、タイトルの項目には、「Ａ社−雑誌Ｂ」のように、広告で示された内容の会社名や商品名（雑誌名，サービス名など）が記憶される。
サムネイル画像の項目には、ビーコン装置１が貼り付けられた広告１０１を縮小したサムネイル画像が記憶される。なお、予め縮小したサムネイル画像を用いる代わりに、縮小前の画像をそのまま用いて表示する際に縮小するようにしてもよい。
【００２６】
図７は、コンテンツデータベース７１に記憶されるデータの例（例２）を示す。
図７の例は、１つのビーコン識別情報ＩＤｂごとに、複数個のコンテンツ情報を格納した例である。
すなわち、コンテンツデータベース７１には、図７に示すように、１つのビーコン識別情報ＩＤｂごとに、複数個のアドレス情報と、複数個のコンテンツ情報（タイトルおよびサムネイル画像）とが記憶される。ここで、複数個のコンテンツ情報とは、例えば特定のビーコン識別情報ＩＤｂを持つビーコン装置１が設置された車両１００内の全ての広告１０１のコンテンツ情報を意味する。
【００２７】
例えば、図７に示すように、コンテンツデータベース７１には、個別データ“０００１”のビーコン識別情報ＩＤｂに対応して、「Ａ社−雑誌Ｂ」、「Ｃ社−雑誌Ｄ」、「Ｅ社−飲料Ｆ」、および「Ｇ社−飲料Ｈ」などの、１両の車両１００内の全ての広告１０１に関するアドレス情報およびコンテンツ情報が記憶される。
【００２８】
図８は、コンテンツデータベース７１に記憶されるデータの例（例３）を示す。
この図８の例は、例えば１両の車両１００内の中吊り広告１０１として、全てを同じ広告主の広告とした、いわゆる広告貸切列車とした場合である。
図８の例では、１両の車両１００内に配置した複数個のビーコン識別情報ＩＤｂで、同じ１つのコンテンツ情報が共有されることになる。
すなわち、コンテンツデータベース７１には、図８に示すように、複数個のビーコン識別情報ＩＤｂに、１個のアドレス情報と、１個のコンテンツ情報（タイトルおよびサムネイル画像）とが記憶される。
【００２９】
図９は、コンテンツデータベース７１に記憶されるデータの例（例４）を示す。
図９の例は、１両の車両１００内に配置した複数個のビーコン識別情報ＩＤｂに、共通に複数個のコンテンツ情報を格納した例である。
すなわち、コンテンツデータベース７１には、図９に示すように、１両の車両１００内に配置した複数個のビーコン識別情報ＩＤｂごとに、その車両１００内の全ての広告１０１に関するアドレス情報とコンテンツ情報（タイトルおよびサムネイル画像）とが記憶される。
【００３０】
［１−５．受信履歴データベースの例］
図１０は、管理サーバ７の受信履歴データベース７２に記憶されるデータの例を示す。
受信履歴データベース７２は、アプリケーション識別情報ＩＤａの欄と、ビーコン識別情報ＩＤｂの欄と、受信時刻の欄とを備える。
携帯通信端末３から送信されたアプリケーション識別情報ＩＤａおよびビーコン識別情報ＩＤｂを管理サーバ７が受信したとき、受信履歴データベース７２には、受信したアプリケーション識別情報ＩＤａおよびビーコン識別情報ＩＤｂが受信時刻とともに記憶される。
【００３１】
したがって、受信履歴データベース７２には、それぞれの携帯通信端末３で受信したビーコン信号に含まれるビーコン識別情報ＩＤｂが受信履歴として記憶される。この受信履歴データベース７２は、受信履歴を長期間保存してもよいが、予め決めた所定期間（日数）だけ保存するようにしてもよい。あるいは、１つのアプリケーション識別情報ＩＤａごとに、受信履歴データベース７２が記憶できるビーコン識別情報ＩＤｂの上限の数を決めておくようにしてもよい。
【００３２】
［１−６．処理シーケンスの例］
図１１は、第１の実施の形態例の処理シーケンスの例を示す。
まず、携帯通信端末３を所持したユーザが、車両１００に乗車し、その車両１００の乗車位置の近傍の中吊り広告に取り付けられたビーコン装置１から周期的に送信されるビーコン信号を携帯通信端末３が受信する（ステップＳ１１）。このとき携帯通信端末３が受信したビーコン信号には、ビーコン装置１ごとのビーコン識別情報ＩＤｂが含まれる。なお、実際には携帯通信端末３は、乗車中に同じビーコン信号を複数回繰り返し受信する可能性が高いが、例えば同じビーコン識別情報ＩＤｂを受信した２回目以降は、ステップＳ１２以降の処理を行う必要はない。
【００３３】
ビーコン信号を受信した携帯通信端末３は、自らの携帯通信端末３に付与されたアプリケーション識別情報ＩＤａと、受信したビーコン識別情報ＩＤｂとを、管理サーバ７に送信する（ステップＳ１２）。管理サーバ７は、受信履歴データベース７２に、受信したアプリケーション識別情報ＩＤａおよびビーコン識別情報ＩＤｂを受信時刻とともに記憶する（ステップＳ１３）。
そして、管理サーバ７は、コンテンツデータベース７１の記憶情報に基づいて、ビーコン識別情報ＩＤｂに対応するアドレス情報およびコンテンツ情報（タイトルおよびサムネイル画像）を得、それらの情報を送信元の携帯通信端末３に返送する（ステップＳ１４）。
なお、コンテンツデータベース７１として、図６（あるいは図８）の例のように、１つのビーコン識別情報ＩＤｂが１つのコンテンツ情報に対応している場合には、１つのコンテンツ情報だけが携帯通信端末３に伝送される。また、図７（あるいは図９）の例のように、１つのビーコン識別情報ＩＤｂが複数のコンテンツ情報に対応している場合には、複数のコンテンツ情報が携帯通信端末３に一括して伝送される。
【００３４】
管理サーバ７からの情報を受信した携帯通信端末３は、受信したコンテンツ情報をアドレス情報にリンクさせて、表示部３４に一覧表示する（ステップＳ１５）。なお、表示部３４での表示例については後述する。
ここで、ユーザが、携帯通信端末３の表示部３４に表示されたコンテンツ情報（サムネイル画像）の中のいずれかの１つの画像を選択する操作を行ったとする。このとき、携帯通信端末３は、コンテンツ情報にリンクされたアドレス情報が示すサーバ（コンテンツサーバ８）にアクセスする（ステップＳ１９）。
アクセスがあったコンテンツサーバ８は、該当するアドレスのコンテンツを、携帯通信端末３に送信する（ステップＳ２０）。このコンテンツを受信した携帯通信端末３は、受信したコンテンツを表示部３４に表示する（ステップＳ２１）。
【００３５】
なお、車両１００に乗車中には、ユーザの近傍の複数のビーコン装置１からのビーコン信号が受信される可能性が高い。したがって、ステップＳ１１のビーコン信号の受信から、ステップＳ１５でのコンテンツ情報の表示（あるいは表示の更新）までは、複数回繰り返し行われる可能性がある。
【００３６】
［１−７．表示例］
図１２〜図１４は、携帯通信端末３の表示部３４における表示画面の例である。
図１２の例は、ユーザが車両１００に乗車中の表示例である。携帯通信端末３の表示部３４には、管理サーバ７から送信され携帯通信端末３が受信したコンテンツ情報としての、サムネイル画像２０１，２０２，２０３，・・・が順に表示される。サムネイル画像２０１，２０２，２０３，・・・は、車両１００内に掲示された広告の画像をそのまま縮小した広告画像である。それぞれのサムネイル画像２０１，２０２，２０３，・・・の上部には、コンテンツ情報としてのタイトルが表示される。また、表示画面の上端には、表示項目３４ａとして、「受信中の広告一覧」が表示されている。
このように、表示部３４には、現在受信しているビーコン信号に含まれるビーコン識別情報ＩＤｂに対応するコンテンツ情報（タイトルおよびサムネイル画像）が一覧表示される。各コンテンツ情報は、例えば、新たに受信したビーコン信号に含まれるビーコン識別情報ＩＤｂに対応するものを一番上に追加していくことにより、受信時刻が新しい順に表示される。また、受信したビーコン信号の受信信号強度が大きい順にコンテンツ情報を並べることにより、車両１００内に掲示された広告がユーザに近い順にコンテンツ情報を表示することができる。また、広告料が高い広告に関するコンテンツ情報を目立たせるように表示してもよい。
【００３７】
なお、図１２では３個の広告画像を表示した例を示すが、３個を超える広告画像を携帯通信端末３が受信した場合には、ユーザが表示部３４の表示を上下などにスクロール操作することで、表示部３４に他の広告画像を表示することができる。また、ユーザが表示画像を拡大または縮小操作することにより、表示部３４には、広告画像が任意のサイズで表示される。なお、表示部３４に表示される広告画像は、例えばユーザが表示を止める操作を行うまで継続して表示される。
【００３８】
図１２の表示例から判るように、ユーザが所持する携帯通信端末３の表示部３４には、ユーザが乗車した車両１００内に掲示された広告に取り付けられたビーコン装置１に対応したコンテンツ情報（タイトルおよびサムネイル画像）が表示されるようになる。１つのビーコン装置１から送信される信号が届く範囲を数ｍ程度とすることで、車両１００内の広告のうち、ユーザからある程度近い範囲（例えば、ユーザから見える範囲）にあるものについてのみ、その広告と同じ内容の縮小画像が携帯通信端末３に送信される。
ユーザは、この表示画面において、例えば、いずれかのサムネイル画像（広告画像）２０１，２０２，２０３，・・・をタップすることにより、その広告に関するコンテンツを選択する。このとき、携帯通信端末３では、その選択されたサムネイル画像にリンクされたアドレス情報に基づいてコンテンツサーバ８にアクセスする処理が行われる。
【００３９】
図１３は、ユーザにより選択されたコンテンツにアクセスしたときの表示例である。この図１３の例は、図１２の「Ｃ社−雑誌Ｄ」のサムネイル画像２０２がタップされたときの表示例であり、コンテンツサーバ８に用意された「Ｃ社−雑誌Ｄ」についての詳細な情報を提供するＷｅｂページ２１１が表示される。
【００４０】
図１４は、ユーザが車両１００から降りた後の表示例を示す。
管理サーバ７の受信履歴データベース７２には、それぞれの携帯通信端末３でのビーコン信号の受信履歴が記憶される。したがって、ユーザは、車両１００から降りた後に、携帯通信端末３で管理サーバ７にアクセスして、過去に受信したビーコン信号によるコンテンツ情報の一覧を表示することができる。
例えば、図１４に示すように、表示部３４には、同じ日の朝から受信したビーコン信号のビーコン識別情報ＩＤｂに対応したコンテンツ情報によるサムネイル画像２２１，２２２，２２３，２２４，・・・が表示される。このとき、それぞれのサムネイル画像２２１，２２２，２２３，２２４，・・・には、タイトルとビーコン信号の受信時刻とが付加され、表示項目３４ａとして、「本日の広告一覧」が表示される。このとき、ユーザによる画面上の右端のノブ３４ｃの操作で、各サムネイル画像の表示位置が上下にスクロールする。
【００４１】
また、表示部３４には、１日前の履歴を表示させる矢印３４ｂが表示される。この矢印３４ｂの表示箇所をユーザがタップすることで、携帯通信端末３から管理サーバ７に、１日前の履歴の読み出しが指示される。そして、携帯通信端末３の表示部３４には、１日前の履歴によるコンテンツ情報（サムネイル画像やタイトル）の一覧が表示されるようになる。図１４では１日前の履歴の読み出しを指示するようにしたが、１日前よりも更に前の履歴を指示できるようにしてもよい。
【００４２】
このように、第１の実施の形態例のコンテンツ取得システムによると、ユーザが車両１００に乗車した位置の近傍に掲示された広告１０１に取り付けられたビーコン装置１からのビーコン信号に基づいて、広告１０１と同じ内容のサムネイル画像を携帯通信端末３が表示できるようになる。この場合、それぞれの広告１０１に取り付けられたビーコン装置１は、それぞれの装置に割り当てられたビーコン識別情報ＩＤｂを送信するだけでよい。したがって、ビーコン装置１は、画像データなどを記憶する必要がなく、簡単な構成にできる。
ビーコン識別情報ＩＤｂが、どの広告に対応しているのかを示す情報は、管理サーバ７のコンテンツデータベース７１に記憶されているため、広告の車両１００への掲載を管理する会社（広告会社，鉄道会社など）が簡単に管理できるようになる。
【００４３】
また、このコンテンツ取得システムの場合には、ビーコン装置１が広告１０１に貼り付けなどで取り付けられるため、中吊りなどの広告１０１が、取り替えられた場合でも、携帯通信端末３に配信されるコンテンツ情報が、ユーザが見たものと一致するようになる。すなわち、車両１００の特定位置に掲示された広告１０１ａが、ある時刻に別の広告１０１ｂに取り替えられ、ビーコン装置１も広告に対応したものに取り替えられたとする。このとき、交換前の広告１０１ａを見たユーザの端末には、その広告１０１ａの画像が配信され、交換後の広告１０１ｂを見たユーザの端末には、その広告１０１ｂの画像が配信されるようになる。したがって、管理サーバ７のコンテンツデータベース７１では、各ビーコン識別情報の管理を行えばよく、広告が交換される時期などの管理の必要がなくなるので、管理サーバ７におけるコンテンツデータベース７１の管理が極めて簡単になる。
【００４４】
また、コンテンツデータベース７１を図６のように作成した場合には、ユーザが乗車した位置の近傍の情報だけが配信されるため、ユーザの移動位置などを把握することなく、乗車位置と表示情報とが一致する。
一方、コンテンツデータベース７１を図７や図９のように作成した場合には、ユーザが乗車した車両１００内の全ての広告画像が配信されるため、ユーザの車内での乗車位置に拘わらず、ユーザが乗車した車両内の全ての広告画像を表示できるようになる。
なお、コンテンツデータベース７１を図６〜図９のどの構成とするかは、このコンテンツ取得システムを運用する会社が決めればよいことである。
【００４５】
＜２．第２の実施の形態例＞
次に、図１５を参照して、本発明の第２の実施の形態例のコンテンツ取得システムを説明する。
本発明の第２の実施の形態例のコンテンツ取得システムは、システムの全体構成は図１に示す第１の実施の形態例と同じであり、説明を省略する。但し、本発明の第２の実施の形態例では、管理サーバ７は受信履歴データベース７２を備えず、携帯通信端末３内の記憶部３２に、ビーコン信号の受信履歴が記憶される点が、図１の例と異なる。
【００４６】
図１５は、本発明の第２の形態例のコンテンツ取得システムによる処理シーケンスの例を示す。
まず、携帯通信端末３を所持したユーザが、車両１００に乗車し、その車両１００の乗車位置の近傍の中吊り広告に取り付けられたビーコン装置１から周期的に送信されるビーコン信号を携帯通信端末３が受信する（ステップＳ３１）。このとき携帯通信端末３が受信したビーコン信号には、ビーコン装置１ごとのビーコン識別情報ＩＤｂが含まれる。
【００４７】
そして、ビーコン信号を受信した携帯通信端末３は、その記憶部３２に、受信したビーコン識別情報ＩＤｂをその時刻とともに記憶する（ステップＳ３２）。さらに、携帯通信端末３は、自らの携帯通信端末３に付与されたアプリケーション識別情報ＩＤａと、受信したビーコン識別情報ＩＤｂとを、管理サーバ７に送信する（ステップＳ３３）。
管理サーバ７は、コンテンツデータベース７１の記憶情報に基づいて、ビーコン識別情報ＩＤｂに対応するアドレス情報およびコンテンツ情報（タイトルおよびサムネイル画像）を得、それらの情報を送信元の携帯通信端末３に返送する（ステップＳ３４）。
【００４８】
管理サーバ７からの情報を受信した携帯通信端末３は、受信したコンテンツ情報をアドレス情報にリンクさせて、表示部３４に一覧表示する（ステップＳ３５）。ここでは、例えば図１２に示すような表示画面の表示が行われる。
ここで、ユーザが、携帯通信端末３の表示部３４に表示されたコンテンツ情報（サムネイル画像）の中のいずれかの１つの画像を選択する操作を行ったとする。このとき、携帯通信端末３は、コンテンツ情報にリンクされたアドレス情報が示すサーバ（コンテンツサーバ８）にアクセスする（ステップＳ３６）。
そして、アクセスがあったコンテンツサーバ８は、該当するアドレスのコンテンツを、携帯通信端末３に送信する（ステップＳ３７）。このコンテンツを受信した携帯通信端末３は、受信したコンテンツを表示部３４に表示する（ステップＳ３８）。
【００４９】
この図１５に示す例の場合には、携帯通信端末３にビーコン信号の受信履歴が記憶される。このため、降車後に再度、同じ広告を見たいという場合などには、ユーザは、記憶したビーコン識別情報ＩＤｂを管理サーバ７に送信することで、乗車中と同じ広告を表示することができる。
このように、携帯通信端末３がビーコン信号の受信履歴を記憶することで、管理サーバ７は、各携帯通信端末３の受信履歴を管理する必要がなくなるので、管理サーバ７での管理が簡単になる。
【００５０】
＜３．第３の実施の形態例＞
次に、図１６を参照して、本発明の第２の実施の形態例のコンテンツ取得システムを説明する。
本発明の第３の実施の形態例のコンテンツ取得システムの場合も、システムの全体構成は図１に示す第１の実施の形態例と同じであり、説明を省略する。但し、本発明の第３の実施の形態例においても、第２の実施の形態例と同様に、管理サーバ７は受信履歴データベース７２を備えず、携帯通信端末３内の記憶部３２に、ビーコン信号の受信履歴が記憶される。また、携帯通信端末３内の記憶部３２には、管理サーバ７から配信されたコンテンツデータベースが記憶される。
【００５１】
図１６は、本発明の第３の形態例のコンテンツ取得システムによる処理シーケンスの例を示す。
まず、管理サーバ７は、コンテンツデータベース７１の記憶情報を、定期的（または不定期）に携帯通信端末３に配信する（ステップＳ４１）。このコンテンツデータベース７１の配信は、例えば１日に１回、夜中や早朝などの予め決められた時刻に定期的に行われる。携帯通信端末３内の記憶部３２では、配信されたコンテンツデータベース７１の情報で、自身が記憶するコンテンツデータベースの情報が更新される。
【００５２】
その後、携帯通信端末３を所持したユーザが、車両１００に乗車し、その車両１００の乗車位置の近傍の中吊り広告に取り付けられたビーコン装置１から周期的に送信されるビーコン信号を携帯通信端末３が受信する（ステップＳ４３）。このとき携帯通信端末３が受信したビーコン信号には、ビーコン装置１ごとのビーコン識別情報ＩＤｂが含まれる。
そして、ビーコン信号を受信した携帯通信端末３は、その記憶部３２に、受信したビーコン識別情報ＩＤｂをその時刻とともに記憶する（ステップＳ４４）。さらに、携帯通信端末３は、受信したビーコン識別情報ＩＤｂを、記憶部３２に記憶されたコンテンツデータベースから検索し、ビーコン識別情報ＩＤｂに対応するアドレス情報およびコンテンツ情報（タイトルおよびサムネイル画像）を取得する（ステップＳ４５）。
【００５３】
アドレス情報およびコンテンツ情報を検索して取得した携帯通信端末３は、検索されたコンテンツ情報をアドレス情報にリンクさせて、表示部３４に一覧表示する（ステップＳ４６）。ここでは、例えば図１２に示すような表示画面の表示が行われる。
ここで、ユーザが、携帯通信端末３の表示部３４に表示されたコンテンツ情報（サムネイル画像）の中のいずれかの１つの画像を選択する操作を行ったとする。このとき、携帯通信端末３は、コンテンツ情報にリンクされたアドレス情報が示すサーバ（コンテンツサーバ８）にアクセスする（ステップＳ４７）。
アクセスがあったコンテンツサーバ８は、該当するアドレスのコンテンツを、携帯通信端末３に送信する（ステップＳ４８）。このコンテンツを受信した携帯通信端末３は、受信したコンテンツを表示部３４に表示する（ステップＳ４９）。
【００５４】
この図１６に示す例の場合には、携帯通信端末３に管理サーバ７のコンテンツデータベース７１と同じデータが記憶される。このため、携帯通信端末３はビーコン信号を受信するごとに管理サーバ７にアクセスする必要がなく、例えば携帯通信端末３が基地局などと無線通信できない環境であっても、携帯通信端末３の表示部３４には、広告１０１に対応した広告画像が表示できるようになる。
【００５５】
＜４．変形例＞
なお、上述した実施の形態例では、ビーコン信号として、Bluetoothの４．０規格のＬＥモードで送信される信号とした。これに対して、その他の通信方式を適用したビーコン信号としてもよい。例えば、無線ＬＡＮを使ってビーコン信号を送信するようにしてもよい。あるいは、赤外線信号や可視光信号により、ビーコン装置から携帯通信端末３にビーコン信号を送信するようにしてもよい。
【００５６】
また、ユーザが操作する携帯通信端末３は、スマートフォンに適用した例とした。これに対して、本発明は、ビーコン信号を受信できると共にサーバと通信が可能な携帯通信端末であれば、その他の携帯通信端末に適用してもよい。例えば、本発明は、タブレット端末やパーソナルコンピュータ装置に適用してもよい。
【００５７】
また、上述した実施の形態例では、公共交通機関における車両内の広告に適用した例とした。これに対して、本発明は、種々の施設や屋外などに掲示される広告または各種掲示物に適用が可能である。
また、ビーコン装置が取り付けられる対象物である広告や掲示物は、必ずしも紙やフィルムに印刷されたものである必要はない。例えば、公共交通機関の車両内に配置された表示装置（デジタルサイネージ）にビーコン装置を取付け、その表示装置が表示した動画像または静止画像による広告や各種案内に対応したコンテンツ情報が、管理サーバ経由により携帯通信端末で取得できるようにしてもよい。この場合、ビーコン装置は、例えば、広告や各種案内が切り替わるごとにビーコン識別情報の個別データ区間を変更することによって、表示装置の表示内容に応じて異なるビーコン識別情報を含むビーコン信号を送信する。
さらに、ビーコン装置が取り付けられる対象物は、必ずしも広告や掲示物である必要はない。例えば、商品や店舗自体にビーコン装置を取り付け、その商品や店舗紹介のＷｅｂページをコンテンツとして配信することもできる。また、例えば、展示会のブースにビーコン装置を取り付け、来場者限定のＷｅｂページをコンテンツとして配信することもできる。また、例えば、ビーコン装置を物品ではなく場所に取り付け（設置し）、ユーザがいた時刻にその場所で流れていた音楽に関するコンテンツ（音声ファイルや、ＣＤの紹介・購入のＷｅｂページなど）を配信することもできる。
【００５８】
さらに、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は、本発明を分かりやすく説明するために装置の構成を詳細かつ具体的に説明したものであり、必ずしも説明した全ての構成を備えるものに限定されるものではない。
また、システム構成例としての図１の信号の流れのラインは、説明上必要と考えられるものを示しており、必ずしも装置として必要な全てのラインを示しているとは限らない。実際には殆ど全ての構成が相互に接続されていると考えてもよい。
【符号の説明】
【００５９】
１…ビーコン装置、３…携帯通信端末、５…アクセスポイント、６…ネットワーク、７…管理サーバ、８…コンテンツサーバ、１１…記憶部、１２…送信部、３０…バスライン、３１…処理部、３２…記憶部、３３…入力部、３４…出力部（表示部）、７１…コンテンツデータベース、７２…受信履歴データベース、１００…車両、１０１…広告、１１１…ドア、１１２…座席、１１３…吊り下げ金具
【図１】
2016218925.tif 000003
【図２】
2016218925.tif 000004
【図３】
2016218925.tif 000005
【図４】
2016218925.tif 000006
【図５】
2016218925.tif 000007
【図６】
2016218925.tif 000008
【図７】
2016218925.tif 000009
【図８】
2016218925.tif 000010
【図９】
2016218925.tif 000011
【図１０】
2016218925.tif 000012
【図１１】
2016218925.tif 000013
【図１２】
2016218925.tif 000014
【図１３】
2016218925.tif 000015
【図１４】
2016218925.tif 000016
【図１５】
2016218925.tif 000017
【図１６】
2016218925.tif 000018